(57)【要約】【課題】刃部を装着したままで洗浄液による洗浄が可能であって、その洗浄性を向上させることができる鼻毛カッターを提供する。【解決手段】鼻毛カッター１０の本体ケース１５には、内刃２４を支持してなる内刃回転体２３の収容とともに鼻毛の毛屑を捕集するための内部空間Ｘと該空間Ｘを外部に開口させる排出孔１５ｅとが形成され、内刃２４を支持する内刃基台２５には水流ファンとして機能する一対の把持片２５ａが設けられる。そして、内刃回転体２３の回転による把持片２５ａ（水流ファン部）の回転により、外刃２１のスリット２１ａから内部空間Ｘを経て排出孔１５ｅに向けて洗浄液の水流が生じさせ、その水流と対向する側壁部１５ｆを設けて、内部空間Ｘを周回する洗浄液が鼻毛の毛屑等の異物とともに効率よく排出孔１５ｅから排出するように構成される。【選択図】図３
2011062447.tif 000002
【特許請求の範囲】
【請求項１】
ケース部材に支持される外刃と該外刃内に収容される内刃とを有し、該内刃を支持してなる内刃回転体を駆動源の駆動により回転させ、前記外刃と内刃との間で鼻毛を挟み切るように構成された鼻毛カッターであって、
前記ケース部材には、前記内刃回転体の収容とともに前記鼻毛の毛屑を捕集するための内部空間が形成されるとともに該内部空間を外部に開口させる排出孔が形成され、前記内刃を支持する内刃基台には水流ファン部が設けられており、前記内刃回転体の回転による前記水流ファン部の回転により、前記外刃の開口から前記内部空間を経て前記排出孔に向けて洗浄液の水流を生じさせるものであり、
前記内部空間を周回する水流の前記排出孔よりも下流側にその水流と対向する側壁部が設けられたことを特徴とする鼻毛カッター。
【請求項２】
請求項１に記載の鼻毛カッターにおいて、
前記排出孔は断面矩形状をなすものであり、前記側壁部における前記水流と対向する側面と前記排出孔の一側面とが段差なく接続されたことを特徴とする鼻毛カッター。
【請求項３】
請求項２に記載の鼻毛カッターにおいて、
少なくとも前記側壁部の側面は、前記内部空間を周回する水流方向に対して次第に径方向外側となるように傾斜させたことを特徴とする鼻毛カッター。
【請求項４】
請求項１〜３のいずれか１項に記載の鼻毛カッターにおいて、
前記排出孔は、前記内刃基台に設けた前記水流ファン部の近傍に設けたことを特徴とする鼻毛カッター。
【請求項５】
請求項１〜４のいずれか１項に記載の鼻毛カッターにおいて、
前記内刃基台には、その把持のための把持片が設けられるものであり、該把持片が前記水流ファン部を兼用して構成されたことを特徴とする鼻毛カッター。
【請求項６】
請求項１〜５のいずれか１項に記載の鼻毛カッターにおいて、
前記ケース部材には、前記排出孔を開閉させる蓋部材が設けられたことを特徴とする鼻毛カッター。
【請求項７】
請求項１〜６のいずれか１項に記載の鼻毛カッターにおいて、
前記ケース部材には、前記駆動源の駆動及び停止を切り替えるスイッチが設けられるものであり、
前記排出孔は、前記スイッチとは反対側に設けられたことを特徴とする鼻毛カッター。
【発明の詳細な説明】
【技術分野】
【０００１】
本発明は、洗浄可能な構造を有する鼻毛カッターに関するものである。
【背景技術】
【０００２】
従来、例えば特許文献１にて示されているように、使用者の鼻孔に刃部を挿入して鼻毛を切断する鼻毛カッターが知られている。このような鼻毛カッターの刃部は、鼻孔内への挿入に適した略円筒状の外刃（固定刃）と、本体内部に備えられるモータによりその外刃の内側で回転される内刃（可動刃）とを有するものであるが、内部の内刃収容凹部が鼻毛の毛屑を捕集する空間としても機能しており、その空間内に鼻毛の毛屑が捕集される。そして、捕集された鼻毛の毛屑が使用者によって任意の時期に本体内部から除去されることで、鼻毛カッターの清潔性が保たれる。
【先行技術文献】
【特許文献】
【０００３】
【特許文献１】特許第４２０３６７０号公報
【発明の概要】
【発明が解決しようとする課題】
【０００４】
ところで、内刃及びその支持部材にあっては特に入り組んだ複雑な形状をなすため、鼻毛の毛屑が多く付着してその除去し難く、付属のブラシ等を使っても十分に除去するのは非常に煩雑である。
【０００５】
そこで、刃部及びその周囲部品を分解可能に構成し、水等の洗浄液を使用して洗浄する方法があるが、またこの分解する作業が煩雑であるのと、内刃及びその支持部材は比較的小型の部品で且つ鋭利な部品でもあるため、取り扱いが難しいという点においてもその分解作業や洗浄作業を煩雑としている。
【０００６】
そのため、刃部を装着したままその刃部内部に水等の洗浄液を導入して内刃等を洗浄するのが望ましいが、単に内部に流水を導入するだけでは十分な洗浄を行えないことが考えられるため、何らかの工夫が必要であった。
【０００７】
本発明は、上記課題を解決するためになされたものであって、その目的は、刃部を装着したままで洗浄液による洗浄が可能であって、その洗浄性を向上させることができる鼻毛カッターを提供することにある。
【課題を解決するための手段】
【０００８】
上記課題を解決するために、請求項１に記載の発明は、ケース部材に支持される外刃と該外刃内に収容される内刃とを有し、該内刃を支持してなる内刃回転体を駆動源の駆動により回転させ、前記外刃と内刃との間で鼻毛を挟み切るように構成された鼻毛カッターであって、前記ケース部材には、前記内刃回転体の収容とともに前記鼻毛の毛屑を捕集するための内部空間が形成されるとともに該内部空間を外部に開口させる排出孔が形成され、前記内刃を支持する内刃基台には水流ファン部が設けられており、前記内刃回転体の回転による前記水流ファン部の回転により、前記外刃の開口から前記内部空間を経て前記排出孔に向けて洗浄液の水流を生じさせるものであり、前記内部空間を周回する水流の前記排出孔よりも下流側にその水流と対向する側壁部が設けられたことをその要旨とする。
【０００９】
この発明では、鼻毛カッターのケース部材には、内刃を支持してなる内刃回転体の収容とともに鼻毛の毛屑を捕集するための内部空間と該空間を外部に開口させる排出孔とが形成され、内刃を支持する内刃基台には水流ファン部が設けられる。そして、内刃回転体の回転による水流ファン部の回転により、外刃の開口から内部空間を経て排出孔に向けて洗浄液の水流を生じさせ、その水流と対向する側壁部を設けたことで、内部空間を周回する洗浄液が鼻毛の毛屑等の異物とともに効率よく排出孔から排出されるようになる。これにより、単に流水等の導入だけよりも水流ファン部の回転による洗浄液の強い水流を生じさせ、しかも側壁部を設けたことで排出孔からの排出性がより向上することで、洗浄性が向上する。
【００１０】
請求項２に記載の発明は、請求項１に記載の鼻毛カッターにおいて、前記排出孔は断面矩形状をなすものであり、前記側壁部における前記水流と対向する側面と前記排出孔の一側面とが段差なく接続されたことをその要旨とする。
【００１１】
この発明では、排出孔は断面矩形状をなし、側壁部における水流と対向する側面と排出孔の一側面とが段差なく接続される。これにより、洗浄液の排出抵抗（水流抵抗）を低減でき、洗浄性向上に寄与できる。
【００１２】
請求項３に記載の発明は、請求項２に記載の鼻毛カッターにおいて、少なくとも前記側壁部の側面は、前記内部空間を周回する水流方向に対して次第に径方向外側となるように傾斜させたことをその要旨とする。
【００１３】
この発明では、排出孔の一側面と段差なく接続される側壁部の側面が少なくとも内部空間を周回する水流方向に対して次第に径方向外側となるように傾斜する形状とされる。これにより、洗浄液の排出抵抗（水流抵抗）をより低減でき、洗浄性向上に寄与できる。またこの場合、側壁部の側面と接続される排出孔の一側面もその傾斜形状に倣って傾斜させることで、洗浄液の排出抵抗（水流抵抗）の一層の低減が可能である。
【００１４】
請求項４に記載の発明は、請求項１〜３のいずれか１項に記載の鼻毛カッターにおいて、前記排出孔は、前記内刃基台に設けた前記水流ファン部の近傍に設けたことをその要旨とする。
【００１５】
この発明では、排出孔は、内刃基台に設けた水流ファン部の近傍に設けられるため、洗浄液の排出の際、水流を大きく弱めることなく外部に排出でき、洗浄性向上に寄与できる。
【００１６】
請求項５に記載の発明は、請求項１〜４のいずれか１項に記載の鼻毛カッターにおいて、前記内刃基台には、その把持のための把持片が設けられるものであり、該把持片が前記水流ファン部を兼用して構成されたことをその要旨とする。
【００１７】
この発明では、内刃基台には、その内刃回転体を取り扱う際に使用者や組立作業者が指等にて把持するための把持片が設けられ、この把持片が水流ファン部を兼用する。これにより、内刃基台（内刃回転体）の構成を簡素とでき、その小型化、ひいては鼻毛カッター全体の小型化に寄与できる。
【００１８】
請求項６に記載の発明は、請求項１〜５のいずれか１項に記載の鼻毛カッターにおいて、前記ケース部材には、前記排出孔を開閉させる蓋部材が設けられたことをその要旨とする。
【００１９】
この発明では、ケース部材には、排出孔を開閉させる蓋部材が設けられるため、使用時に排出孔を閉とすることで鼻毛の毛屑のこぼれが防止される。
請求項７に記載の発明は、請求項１〜６のいずれか１項に記載の鼻毛カッターにおいて、前記ケース部材には、前記駆動源の駆動及び停止を切り替えるスイッチが設けられるものであり、前記排出孔は、前記スイッチとは反対側に設けられたことをその要旨とする。
【００２０】
この発明では、ケース部材に設けられる排出孔は、駆動切替用のスイッチとは反対側に設けられる。つまり、洗浄時にもスイッチを操作することになるが、排出孔から洗浄液が排出される際に、スイッチを操作する指等へのその洗浄液の付着を抑制でき、洗浄を行い易い。
【発明の効果】
【００２１】
本発明によれば、刃部を装着したままで洗浄液による洗浄が可能であって、その洗浄性を向上させることができる鼻毛カッターを提供することができる。
【図面の簡単な説明】
【００２２】
【図１】（ａ）（ｂ）本実施形態における鼻毛カッターを示す斜視図である。
【図２】鼻毛カッターの刃部を示す分解図である。
【図３】鼻毛カッターの刃部及びその周囲を示す断面図である。
【図４】（ａ）（ｂ）鼻毛カッターの排出孔部分を説明するための説明図である。
【図５】（ａ）（ｂ）鼻毛カッターの洗浄例を説明するための説明図である。
【図６】（ａ）（ｂ）鼻毛カッターの排出孔部分の変形例を説明するための説明図である。
【発明を実施するための形態】
【００２３】
以下、本発明を具体化した一実施形態を図面に従って説明する。
図１は、本実施形態の鼻毛カッターを示す。鼻毛カッター１０は、全体が細長略円柱状をなしており、使用者の手で把持可能な本体部１１と、該本体部１１の先端側（長手方向一端側）に構成される刃部１２とを備えている。本体部１１の基端側（長手方向他端側）は、把持し易い外観形状にて形成される把持部１３として構成されており、本体部１１の略中央にはその把持部１３と隣接するようにしてスライド式のスイッチ１４が設けられている。スイッチ１４は、本体部１１の外郭を構成する本体ケース１５に対して防水構造をなして取り付けられている。
【００２４】
本体部１１（本体ケース１５）の内部には、図３に示すように、駆動モータ１６が収容されており、該モータ１６の回転軸１６ａが本体部１１の長手方向に沿うようにして本体部１１の略中央部分（スイッチ１４の内側）に配置されている。駆動モータ１６への電源供給のための図示しない電池は、本体部１１の前記把持部１３の内側に収容されており、スイッチ１４のオン操作に基づきその電池から駆動モータ１６に駆動電源が供給されるようになっている。
【００２５】
駆動モータ１６の回転軸１６ａは、刃部１２が構成される本体部１１の先端側に突出しており、回転軸１６ａには継手１７が圧入固定されている。回転軸１６ａが金属製に対し、この継手１７は樹脂製となっている。継手１７の先端部には、刃部１２を構成する内刃回転体２３が回転方向に係合するように装着され、また着脱可能となっている。因みに、刃部１２は、詳細構成は後述するが、図２に示すように、外刃（固定刃）２１が外刃フレーム２２に装着されてなる外刃体２０と、内刃（可動刃）２４が内刃基台２５に装着されてなる内刃回転体２３とを備えている。
【００２６】
本体ケース１５の先端部には、図３及び図４に示すように、刃部１２を構成する外刃フレーム２２が外嵌される円環状の装着部１５ａが形成されている。装着部１５ａの内側には、その高さよりも若干深い凹設部１５ｂが形成されており、該凹設部１５ｂは、外刃体２０の内側に設けられる内刃収容凹部２０ａと連通して内部空間Ｘを構成し、鼻毛の毛屑を捕集する空間としても機能する。
【００２７】
凹設部１５ｂの底面は、駆動モータ１６を収容するモータ収容部１５ｃ側との仕切りとなっており、この底面中央には、回転軸１６ａ及び継手１７を内部空間Ｘ側に突出させる貫通孔１５ｄが形成されている。尚、モータ収容部１５ｃにおける貫通孔１５ｄの近傍には、駆動モータ１６の回転軸１６ａと本体ケース１５との間を密閉するＭ型パッキン１８が備えられ、該パッキン１８にて、内部空間Ｘ側から貫通孔１５ｄを介して侵入する鼻毛の毛屑や洗浄液等の異物がそれ以上に侵入することが防止されている。
【００２８】
また、本体ケース１５における装着部１５ａの近傍には、その内外を貫通する排出孔１５ｅが１つ設けられており、該排出孔１５ｅは前記凹設部１５ｂと接続されている。排出孔１５ｅは、前記スイッチ１４とは１８０°反対側において外側に開口している。尚、排出孔１５ｅは、本体ケース１５の外側面にスライド移動可能に設けた蓋部材１９にてその開閉が可能となっている。
【００２９】
排出孔１５ｅは、断面矩形状をなし、該孔１５ｅの底面と凹設部１５ｂの底面とが段差なく面一となっている。また、凹設部１５ｂの平面視において（図４（ａ）参照）、排出孔１５ｅの内側開口部における時計回り側の側辺には、該排出孔１５ｅと略同じ高さの側壁部１５ｆが設けられている。側壁部１５ｆは、装着部１５ａの内周面及び凹設部１５ｂの底面と接続され、その径方向内側端部は排出孔１５ｅの周縁近傍（継手１７の外周面近傍）まで延びている。側壁部１５ｆの側面と排出孔１５ｅの時計回り側の側面とは段差なく面一（直線状）で接続されている。また、その接続された両側面は、図４における時計回り方向（内刃回転体２３の回転方向であり、後述する内部空間Ｘを周回する水流方向）に対し、次第に径方向外側となるように傾斜する形状となっている。
【００３０】
刃部１２は、図２及び図３に示すように、外刃２１が外刃フレーム２２に装着されてなる外刃体２０と、内刃２４が内刃基台２５に装着されてなる内刃回転体２３とを備えている。
【００３１】
即ち、外刃体２０は、使用者の鼻孔内への挿入に適した略円筒状の外刃２１が円錐台筒状の外刃フレーム２２の先端部に固定されてなり、該外刃フレーム２２の基端部が本体部１１（本体ケース１５）の先端部に設けた装着部１５ａに外嵌される。この場合、外刃フレーム２２の基端部の内周面には１８０°対向位置に一対の係止突起２２ａが形成されるとともに、本体部１１側の装着部１５ａの外周面には各突起２２ａに対応した一対の係止溝１５ｇが形成され、これら係止突起２２ａ及び係止溝１５ｇによる回動式の装着構造によって外刃フレーム２２（外刃体２０）が装着部１５ａに対して着脱可能に装着されている。
【００３２】
外刃２１は、略円筒状をなして先端側が若干内側に曲げられ、その先端面中心から放射状に円筒状の側面側まで延びる複数のスリット２１ａにて複数の櫛歯２１ｂが形成されている。このような外刃体２０の内側（外刃２１及び外刃フレーム２２の内側）は、内刃回転体２３を回転可能に収容する内刃収容凹部２０ａとして構成されている。
【００３３】
内刃回転体２３は、略円柱状をなす内刃基台２５の先端側外周面には１８０°対向位置に金属プレートよりなる一対の内刃２４が装着され、内刃基台２５がモータ１６の回転軸１６ａに継手１７を介して組み付けられる。内刃回転体２３は、外刃体２０の内刃収容凹部２０ａ内に配置され、スプリング２６の付勢力により各内刃２４が外刃２１の内周面に押圧するようにして摺接する。
【００３４】
そして、使用時においてスイッチ１４のオン操作に基づくモータ１６の駆動により、回転軸１６ａとともに内刃回転体２３が回転し、内刃２４の切刃部２４ａと外刃２１との間で鼻毛を挟み切るようになっている。鼻毛の毛屑は、凹設部１５ｂ及び内刃収容凹部２０ａにて構成される内部空間Ｘ内に捕集され、特に鼻毛カッター１０は外刃２１を上方に向けて使用するため、凹設部１５ｂ内に多く捕集される。因みに、この使用時においては、排出孔１５ｅからの鼻毛の毛屑のこぼれを防止すべく、該排出孔１５ｅが蓋部材１９にて閉とされて使用される。
【００３５】
内刃基台２５の基端部には、１８０°対向位置に一対の把持片２５ａが設けられている。各把持片２５ａは、内刃基台２５の基端からＬ字状に延び、径方向外側に互いに反対向きに直線状に突出しており、その突出部分は断面矩形状をなしている。尚、この断面矩形状は、対向の２辺が内刃基台２５の回転方向に、もう一方の２辺が内刃基台２５の軸方向に沿う形状をなしている。各把持片２５ａは、内刃基台２５（内刃回転体２３）を取り扱う際に使用者や組立作業者等が指つまみにて把持し易い形状となっている。
【００３６】
また、内刃基台２５に設けられる一対の把持片２５ａは、自身の回転時に水流ファンとして機能する。詳述すると、図３にて示す内刃回転体２３（内刃基台２５）の装着状態において、その把持片２５ａの基端部分の若干下側に前記本体ケース１５の排出孔１５ｅの上面が位置するような把持片２５ａと排出孔１５ｅとの位置関係に設定されており、内刃回転体２３の回転に基づいて把持片２５ａが回転することで、導入孔となる外刃２１のスリット２１ａから内部空間Ｘ、そして排出孔１５ｅに向かう流体の流路が形成される。
【００３７】
これにより、図５（ｂ）にて示すように、使用時に閉としていた排出孔１５ｅを開となるように蓋部材１９を操作し、外刃２１を上方に向けて洗浄液として例えば水道水Ｗを外刃２１のスリット２１ａから導入すると、内部空間Ｘを経ることで刃部１２の内部に蓄積された鼻毛の毛屑（内刃回転体２３や外刃フレーム２２の内周面等に付着した鼻毛の毛屑も含む）を洗浄しつつ排出孔１５ｅから排出される。その際、鼻毛カッター１０を駆動して内刃回転体２３を回転させながら洗浄することで、外刃２１のスリット２１ａから内部空間Ｘを経て排出孔１５ｅに向けて強い水流が生じるため、刃部１２の内部にある鼻毛の毛屑がより十分に水道水Ｗとともに外部に排出される。
【００３８】
また、内刃回転体２３を回転させながらの洗浄は刃部１２の内部に強い水流を生じさせることができるため、図５（ａ）に示すように、外刃２１を下方に向けて洗浄液（例えば水道水Ｗ）を吸い上げて排出孔１５ｅから排出するような態様にて、刃部１２の内部の洗浄を行うこともできるようになっている。尚、洗浄液としては水道水Ｗに限らず、その洗浄に適した薬剤を混ぜた液体を使用してもよい。
【００３９】
次に、本実施形態の特徴的な作用効果を記載する。
（１）本実施形態では、鼻毛カッター１０の本体ケース１５には、内刃２４を支持してなる内刃回転体２３の収容とともに鼻毛の毛屑を捕集するための内部空間Ｘと該空間Ｘを外部に開口させる排出孔１５ｅとが形成され、内刃２４を支持する内刃基台２５には水流ファンとして機能する一対の把持片２５ａが設けられている。そして、内刃回転体２３の回転による水流ファン部（把持片２５ａ）の回転により、外刃２１のスリット２１ａから内部空間Ｘを経て排出孔１５ｅに向けて洗浄液（水Ｗ）の水流を生じさせ、その水流と対向する側壁部１５ｆを設けたことで、内部空間Ｘを周回する洗浄液が鼻毛の毛屑等の異物とともに効率よく排出孔１５ｅから排出されるようになる。これにより、単に流水等の導入だけよりも水流ファン部（把持片２５ａ）の回転による洗浄液の強い水流を生じさせ、しかも側壁部１５ｆを設けたことで排出孔１５ｅからの排出性がより向上することで、洗浄性を向上することができる。
【００４０】
（２）本実施形態では、側壁部１５ｆにおける水流と対向する側面と排出孔１５ｅの一側面とが段差なく接続されている。これにより、洗浄液の排出抵抗（水流抵抗）を低減でき、洗浄性向上に寄与することができる。
【００４１】
（３）本実施形態では、側壁部１５ｆの側面と排出孔１５ｅの一側面とは一平面にて形成され、内部空間Ｘを周回する水流方向に対して次第に径方向外側となるように傾斜する形状とされている。これにより、洗浄液の排出抵抗（水流抵抗）を低減でき、洗浄性向上に寄与することができる。
【００４２】
（４）本実施形態では、排出孔１５ｅは、図３のような位置関係で内刃基台２５に設けた把持片２５ａ（水流ファン部）の近傍に設けられている。そのため、洗浄液の排出の際、水流を大きく弱めることなく外部に排出でき、洗浄性向上に寄与することができる。
【００４３】
（５）本実施形態では、内刃基台２５には、その内刃回転体２３を取り扱う際に使用者や組立作業者が指等にて把持するための把持片２５ａが設けられ、この把持片２５ａが水流ファン部を兼用する。これにより、内刃基台２５（内刃回転体２３）の構成を簡素とでき、その小型化、ひいては鼻毛カッター１０全体の小型化に寄与することができる。また、この把持片２５ａは、一対が径方向外側に互いに反対方向に向けて直線状に突出してなるため、把持片２５ａ部分の指つまみにて内刃基台２５（内刃回転体２３）を把持し易く、また水流を効率よく生じさせることができる。
【００４４】
（６）本実施形態では、本体ケース１５には、排出孔１５ｅを開閉させる蓋部材１９が設けられている。そのため、使用時に排出孔１５ｅを閉とすることで鼻毛の毛屑のこぼれを防止することができる。
【００４５】
（７）本実施形態では、本体ケース１５に設けられる排出孔１５ｅは、駆動切替用のスイッチ１４とは反対側に設けられている。つまり、洗浄時にもスイッチ１４を操作することになるが、排出孔１５ｅから洗浄液が排出される際に、スイッチ１４を操作する指等へのその洗浄液の付着を抑制でき、洗浄が行い易い。
【００４６】
尚、本発明の実施形態は、以下のように変更してもよい。
・上記実施形態では、排出孔１５ｅを１つとしたが、排出孔１５ｅは複数でもよい。例えば、図６に示すように排出孔１５ｅを３つとし、等角度間隔に配置してもよい。また、この図６の態様では、各排出孔１５ｅに上記実施形態と同様の側壁部１５ｆがそれぞれ設けられている。また、この図６の態様のように、排出孔１５ｅを開閉する蓋部材１９を省略してもよい。
【００４７】
・上記実施形態では、排出孔１５ｅをスイッチ１４とは反対側に設けたが、この周方向位置はこれに限らず、適宜変更してもよい。また、排出孔１５ｅの長手方向位置（上下方向位置）も図３の位置に限定されるものではなく、例えば水流ファンとして機能する把持片２５ａと排出孔１５ｅとを上下方向においてラップさせる位置とする等、適宜変更してもよい。
【００４８】
・上記実施形態では、内刃基台２５（内刃回転体２３）を把持する把持片２５ａを水流ファン部として兼用したが、個別に内刃基台２５に設けてもよい。また、把持片２５ａに羽形状を形成してもよい。
【００４９】
・上記実施形態では、排出孔１５ｅの図４における時計回り側の側面と側壁部１５ｆの側面とを段差なく面一（直線状）に接続する態様としたが、段差があってもよい。例えば、排出孔１５ｅから時計回り方向にずらして（１８０°より小さい角度でずらして）側壁部１５ｆを設けてもよい。また、その接続された排出孔１５ｅ及び側壁部１５ｆの両側面を直線状（一平面）としたが、湾曲状に形成してもよい。また、その両側面の傾斜形状を側壁部１５ｆのみとしてもよく、この場合、排出孔１５ｅを径方向に貫通形成することが可能である。
【００５０】
・上記実施形態では、排出孔１５ｅを本体ケース１５に設けたが、刃部１２（外刃フレーム２２）側に設けてもよい。
・上記実施形態では、排出孔１５ｅを開閉する蓋部材１９は長手方向（上下方向）にスライドするものであったが、回転式であってもよい。
【符号の説明】
【００５１】
１０…鼻毛カッター、１４…スイッチ、１５…本体ケース（ケース部材）、１５ｅ…排出孔、１５ｆ…側壁部、１６…モータ（駆動源）、１９…蓋部材、２１…外刃、２２…外刃フレーム（ケース部材）、２３…内刃回転体、２４…内刃、２５…内刃基台、２５ａ…把持片（水流ファン部）、Ｘ…内部空間。
【図１】
2011062447.tif 000003
【図２】
2011062447.tif 000004
【図３】
2011062447.tif 000005
【図４】
2011062447.tif 000006
【図５】
2011062447.tif 000007
【図６】
2011062447.tif 000008